(57)【要約】【課題】  二次電池の販売用包装体に二次電池を充電する機能を設けて充電済みの状態にして販売するときのコストアップを抑えた二次電池包装体を提供する。【解決手段】  二次電池を包装したブリスターパック２１に充電パック３６を着脱可能に連結して販売する。充電パック３６は太陽電池３１や電磁誘導により二次電池の自己放電を補う程度の充電電力をブリスターパック２１に供給する。販売陳列状態で二次電池に充電がなされるので、ユーザは充電済みの二次電池を購入することができ、充電パック３６は購入時に取り外されて回収され、再利用することでコストアップが抑えられる。【選択図】  図１
2007294275.tif 000002
【特許請求の範囲】
【請求項１】
二次電池を被覆包装する包装体に、前記二次電池に電気的接続して外部接続可能に接続端子を設け、この接続端子を通じて二次電池に充電電力を供給する充電手段を包装体に対して着脱可能に連結したことを特徴とする二次電池包装体。
【請求項２】
包装体はブリスターパックに形成され、台紙上に設けられた接続端子の表面が透明カップの台紙への取付面によって被覆されてなる請求項１に記載の二次電池包装体。
【請求項３】
充電手段は、太陽電池である請求項１又は２に記載の二次電池包装体。
【請求項４】
充電手段は、外部に配置された磁界発生手段の電磁誘導一次コイルと電磁結合する電磁誘導二次コイルと、電磁誘導二次コイルに誘起した起電力を二次電池に供給する所定電力に変換する充電電力変換回路とにより構成されてなる請求項１又は２に記載の二次電池包装体。
【請求項５】
充電手段は、外部に配置された電磁波発振装置のアンテナから出力される電磁波を受信する受信アンテナと、受信アンテナに誘起した起電力を二次電池に供給する所定電力に変換する充電電力変換回路とにより構成されてなる請求項１又は２に記載の二次電池包装体。
【請求項６】
充電電力生成手段と包装体との間の連結は、専用治具による着脱構造に形成されてなる請求項１〜５いずれか一項に記載の二次電池包装体。
【請求項７】
充電手段は、太陽電池又は電磁波受信又は電磁誘導による起電力を利用した充電電力生成回路を容器内に収容した充電パックに形成されてなる請求項１に記載の二次電池包装体。
【請求項８】
包装体はブリスターパックに形成され、充電パックを二次電池と共に透明カップ内に収容し、透明カップ内で電気的接続がなされている請求項７に記載の二次電池包装体。
【発明の詳細な説明】
【技術分野】
【０００１】
本発明は、二次電池を充電状態にして販売するのに好適な二次電池包装体に関するものである。
【背景技術】
【０００２】
二次電池の中でもニッケル水素蓄電池やニッケルカドミウム蓄電池は自己放電率が大きく、保管期間や販売期間が長くなると放電可能容量の低下が避けられない。また、リチウム二次電池は自己放電率は小さいものの、満充電状態での保管は電池の劣化をまねきやすいので、５０％以下の充電量にして販売される。
【０００３】
従って、ユーザは二次電池を購入すると、まず充電を行った後に所要の機器に装填する手間を要することになる。乾電池のように購入した電池を即座に機器に装填して使用できる状態とはならない課題があった。ニッケル水素蓄電池のように出力電圧が乾電池の出力電圧と近く、寸法形状が乾電池と同等のものでは、乾電池との互換性を得ることができ、乾電池のように使い捨てでなく、繰り返し使用できる経済性を得ることが可能となる。そのためには、ユーザは購入後に充電を行うことなく即座に使用できるように放電可能容量が充分にある状態で販売することが要求される。
【０００４】
ニッケル水素蓄電池においては、満充電まで充電して出荷されたときから１年経過後でも８０％前後の放電可能容量に維持できるものが開発されているが、同一サイズでの容量が少なくなる課題があり、出荷時から実使用時までの経過時間を管理する手間を要する。
【０００５】
ユーザが必要とするときに充分な放電可能容量がある二次電池を購入することが理想であるが、現実には前述のような理由から即座に使用できる二次電池を確実にユーザに届けることは困難な状態にある。
【０００６】
充電されて放電可能容量が充分にある二次電池をユーザが購入できるようにするには、販売拠点において充電して販売することが考えられるが、包装体を破壊することなく二次電池に充電するには、非接触で充電電力を二次電池に供給する構成が必要となる。電気髭剃り器や電動歯ブラシなどのように機器に組み込まれた二次電池に対し、電磁誘導により非接触で充電電力を供給する電磁誘導充電方式は広く知られている（特許文献１参照）。この場合では機器及び充電器に電磁誘導による電力伝送の構成が設けられている。
【０００７】
二次電池そのものに充電するには、二次電池の正極及び負極に充電回路を電気的接続する必要があり、二次電池の外周に電磁誘導二次コイルを巻き付けると共に、電磁誘導二次コイルに誘起した起電力を二次電池の充電電力として供給する充電回路を設けた特殊な二次電池として構成されたものが知られている（特許文献２及び特許文献３参照）。この電磁結合による充電構造を備えた二次電池は、電磁誘導一次コイルを備えた専用の充電器に投入することにより電磁誘導による電力により二次電池を充電することができる。
【特許文献１】特開平１１−０６９６３９号公報
【特許文献２】特開２００５−１２４３２４号公報
【特許文献３】特開２００５−１１７７４８号公報
【発明の開示】
【発明が解決しようとする課題】
【０００８】
従来技術として示した電気髭剃り器などのように機器に組み込まれた二次電池を充電器と電磁結合することによって充電する構成は、二次電池を電源とする携帯電子機器の種類や数が増加するのに伴って携帯電話機やモバイルコンピュータなどにも適用範囲が増加するものと考えられる。しかし、本発明が目的とする二次電池そのものを購入後直ぐに使用できる状態に充電された状態で販売するものではない。
【０００９】
また、従来技術として示した二次電池そのものに充電機能を設けた構成は、二次電池が規格に沿ったものでなく、特殊なものとなるため汎用性がなく、充電機能を設けているために二次電池としての体積減少は避けられず、体積エネルギー密度の小さい二次電池となってしまう問題がある。この特殊な二次電池の場合も、二次電池を購入後直ぐに使用できる状態に充電された状態で販売できるようにする本発明の目的を叶えるものではない。
【００１０】
また、二次電池を販売するための包装体に二次電池を充電する機能を設けると、当然のことながらコストアップが生じ、ユーザに利便性を提供できるものの余計な出費を強いることになる。
【００１１】
本発明が目的とするところは、一般市販する汎用性のある二次電池を購入後に直ちに機器に装填して使用できるように充電された状態で販売すると同時に、充電するために生じるコストアップを抑えた二次電池包装体を提供することにある。
【課題を解決するための手段】
【００１２】
上記目的を達成するための本発明に係る二次電池包装体は、二次電池を被覆包装する包装体に、前記二次電池に電気的接続して外部接続可能に接続端子を設け、この接続端子を通じて二次電池に充電電力を供給する充電手段を包装体に対して着脱可能に連結したことを特徴とする。
【００１３】
上記構成によれば、二次電池を販売用に被覆包装した二次電池包装体の販売場所において、二次電池包装体に連結した充電手段から出力される充電電力により二次電池は充電される。充電手段は包装体に対して着脱可能に装着することにより、販売時には取り外して再使用することができ、無駄なコストアップを抑制することができる。
【００１４】
上記構成において、包装体はブリスターパックに形成され、台紙上に設けられた接続端子の表面が透明カップの台紙への取付面によって被覆することにより、接続端子に何らかの金属物が接触することによって二次電池に短絡が生じることを防止することができる。
【００１５】
また、充電手段は、太陽電池として構成すると、照明光等の照射を受けた太陽電池から出力される電力により二次電池を充電することができる。
【００１６】
また、充電手段は、外部に配置された磁界発生手段の電磁誘導一次コイルと電磁結合する電磁誘導二次コイルと、電磁誘導二次コイルに誘起した起電力を二次電池に供給する所定電力に変換する充電電力変換回路とにより構成すると、二次電池包装体に接近させて配置した電磁誘導一次コイルから発生させた磁界により電磁誘導二次コイルに起電力が誘起するので、それを充電電力変換回路により充電電力に変換すると、二次電池に充電することができる。
【００１７】
また、充電手段は、外部に配置された電磁波発振装置のアンテナから出力される電磁波を受信する受信アンテナと、受信アンテナに誘起した起電力を二次電池に供給する所定電力に変換する充電電力変換回路とにより構成すると、二次電池包装体の近辺に配置した電磁波発生装置から出力される電磁波を受信したアンテナに発生する起電力を充電電力変換回路により充電電力に変換すると、二次電池に充電電力を供給することができる。
【００１８】
また、充電電力生成手段と包装体との間の連結は、専用治具による着脱構造に形成することが好適で、販売陳列状態で充電電力生成手段が妄りに外されてしまうことがなく、購入して代金決済を行った際に専用治具に取り外すようにすると、確実に回収を実施することができる。
【００１９】
また、充電手段は、太陽電池又は電磁波受信又は電磁誘導による起電力を利用した充電電力生成回路を容器内に収容した充電パックに形成することにより、ユーザの購入時に包装体から充電パックを分離して再使用する仕組みを容易に構築することができる。
【００２０】
上記充電パックは、包装体をブリスターパックに形成したとき、充電パックを二次電池と共に透明カップ内に収容し、透明カップ内で電気的接続した構成を容易に構築することができる。
【発明の効果】
【００２１】
本発明によれば、自己放電率が大きい二次電池などに対して保管場所や販売場所において徐々に充電してユーザが購入した時点で使用可能な充電量にすることができるので、ユーザは充電を行うことなく購入後に直ちに使用できる乾電池的な使用を可能にする。また、充電手段は着脱できるので、回収して再使用することができ、コストアップを抑制して充電済み二次電池の販売を可能にすることができる。
【発明を実施するための最良の形態】
【００２２】
本実施形態は、二次電池の一例であるニッケル水素蓄電池を販売するための二次電池包装体について説明するが、規格、包装形態などが異なる他の二次電池についても同様に構成できることは言うまでもない。
【００２３】
ニッケル水素蓄電池は、ニッケルカドミウム蓄電池に比してエネルギー密度が高く、ＥＵ（欧州連合）における化学物質規制の対象となる材料を使用していないので適用範囲が広く、リチウム二次電池のように過充電や過放電を防止するための保護回路を設ける必要がないので汎用二次電池として好適なものである。また、出力電圧（公称電圧）が１.２Ｖで乾電池の出力電圧に近く、寸法形状が乾電池と同等に構成されているので、乾電池との互換性を得ることができ、充電により繰り返し使用できる経済性も備えている。このような乾電池的な使途を得るためには、ニッケル水素蓄電池の特性である自己放電率が大きい課題を解決することが要求される。即ち、購入して充電することなく、直ぐに機器に装填して使用できるようにすることが望まれている。
【００２４】
本実施形態では、ユーザはニッケル水素蓄電池を購入したとき、従来のように充電した後に機器に装填する手間をかけるのではなく、購入時点で充分な放電可能容量がある充電状態にして販売できるようにする二次電池包装体を構成する。
【００２５】
図１は、第１の実施形態に係る二次電池包装体１の構成を示すもので、２本のＡＡサイズのニッケル水素蓄電池５，５を被覆包装したブリスターパック２１の一端に充電パック（充電手段）３６が着脱可能に連結されている。
【００２６】
ブリスターパック２１は、台紙６上に２本のニッケル水素蓄電池５，５を電気的に直列接続する端子金具１１，１２，１３が取り付けられ、直列接続したニッケル水素蓄電池５，５の正極に接続する端子金具１２から引き出された正極リード２４及び負極に接続する端子金具１１から引き出された負極リード２５が台紙６上に形成されている。端子金具１１，１２，１３に接続して２本のニッケル水素蓄電池５，５を装着し、台紙６上に透明カップ１４が貼着される。透明カップ１４の台紙６への貼着面は正極リード２４及び負極リード２５を被覆して台紙６の端部まで延長形成され、正極リード２４及び負極リード２５それぞれの端部上では、後述する正極接続片２８及び負極接続片２９を収容する空間を設けて接続片挿入部２６が形成されている。この構成により、正極リード２４と負極リード２５との間が何らかの金属物の接触により短絡することが防止される。
【００２７】
充電パック３６は、本実施形態においては太陽電池３１によって構成されている。基板３３に太陽電池３１と、逆流防止ダイオード３２と、正極接続片２８及び負極接続片２９とを取り付けて配線接続し、基板３３を透明窓４３を設けたカバーケース３５に収容し、太陽電池３１への光入射を確保すると共に、基板３３上の構成要素を保護している。この充電パック３６は、正極接続片２８及び負極接続片２９をブリスターパック２１の端部に設けた接続片挿入部２６，２６に差し込むことによりブリスターパック２１と電気的接続がなされ、ブリスターパック２１と充電パック３６との間が連結される。
【００２８】
ブリスターパック２１と充電パック３６との連結は、連結ロック３０により連結解除できないようにロックし、ユーザが購入して代金清算時に専用治具により連結ロック３０のロックを解除し、ブリスターパック２１から充電パックを取り外すようにすることが望ましい。ブリスターパック２１から取り外された充電パック３６は販売拠点で回収され、再使用できるようにすることにより、充電機能付きの包装体に構成することによるコストアップを抑えることができる。また、ブリスターパック２１と充電パック３６との連結をロックすることにより、盗難や悪戯などによってブリスターパック２１と充電パック３６とが分離されてしまうことを防止することができる。
【００２９】
図２は、上記構成になる二次電池包装体１の充電回路構成を示す回路図である。販売拠点における室内照明光が太陽電池３１に入射することよって発電がなされるので、その発電電力がニッケル水素蓄電池５，５の充電電力となるような電圧が発生するように太陽電池３１の素子数が設定される。充電は一般的な充電と異なり、微小な充電電流で徐々にニッケル水素蓄電池５，５の自己放電を補う程度の充電を実施することで足りる。ここではニッケル水素蓄電池５，５を直列接続しているので、太陽電池３１から出力される充電電圧は、ニッケル水素蓄電池５，５に微小な充電方向の電流が流れる程度でよく、充電により電圧上昇したニッケル水素蓄電池５，５の正極、負極間の電圧が充電電圧と同一になったとき充電は停止される。
【００３０】
販売拠点における二次電池包装体１の陳列場所によっては、陳列された全ての充電パック３６に充分な照明光が照射されない場合も想定されるので、そのような場合には、陳列場所の上方に充電専用の光照射手段を設けることが望ましい。光照射手段としては、小型蛍光灯、ＬＥＤ、ＥＬなど販売スペースを占有することが少ないものが好適である。
【００３１】
図３は、第２の実施形態に係る二次電池包装体２を構成する充電パック３７を示すもので、これを連結するブリスターパック２１は、第１の実施形態の構成と同様なので、図示及び説明は省略する。本実施形態における充電方法は、外部に配置された電磁波発信機のアンテナから出力される電磁波を受信して２本のニッケル水素蓄電池５，５に対する充電電力を得るように構成している。
【００３２】
充電パック３７は、図４に示すような充電回路を基板３８上に構成したもので、基板３８の裏面に渦巻き状にアンテナコイル（受信アンテナ）３９を形成し、このアンテナコイル３９に並列にコンデンサ４０を接続して共振回路が構成され、アンテナコイル３９が受信した電磁波に共振することにより誘起した起電力を整流ダイオード４１により整流して充電電力を得るようにしている。基板３８の端部には正極接続片２８及び負極接続片２９が取り付けられ、ブリスターパック２１に設けられた正極リード２４及び負極リード２５にそれぞれ接続することにより、生成した充電電力をブリスターパック２１に供給する。
【００３３】
基板３８はその裏面上に、アンテナコイル３９を形成し、表面上に接続ライン、半田付けランドをパターン形成したプリント配線基板として形成することが好適で、コンデンサ４０及び整流ダイオード４１を半田付けし、正極接続片２８及び負極接続片２９を鋲止めすることにより容易に充電回路を構成することができる。
【００３４】
基板３３は正極接続片２８及び負極接続片２９を外部露出させてカバーケース４２に収容されて充電パック３７に形成される。この充電パック３７は、カバーケース４２の一端に薄く開口した開口部にブリスターパック２１を差し込むことにより、正極接続片２８及び負極接続片２９がブリスターパック２１の端部に設けた接続片挿入部２６，２６に挿入されて電気的接続がなされ、ブリスターパック２１と充電パック３６との間が連結される。ブリスターパック２１と充電パック３６との間の連結は、先の構成と同様に、連結ロック３０により連結解除できないようにロックし、ユーザが購入して代金清算時に専用治具により連結具３４による連結を解除してブリスターパック２１から充電パックを取り外すようにすることが望ましい。
【００３５】
図５（ａ）は、第３の実施形態に係る二次電池包装体３の構成を示すもので、電磁誘導により２本のニッケル水素蓄電池５，５に対する充電電力を得るように構成している。２本のニッケル水素蓄電池５，５を包装したブリスターパック２１を構成する台紙６の一端に、電磁誘導によって充電電力を生成する充電パック２２が着脱可能に連結されている。
【００３６】
前記ブリスターパック２１は、図３（ｃ）に示すように、先の実施形態と同様に形成されているので、その説明は省略する。
【００３７】
充電パック２２は、図５（ｂ）に展開状態にして示すように、樹脂成形により薄いカバーケース２７内に電磁誘導二次コイル７、コンデンサ１０、整流ダイオード９を収容し、これらを正極接続片２８及び負極接続片２９に接続して、図６に示すような充電回路を形成している。尚、本構成においては、電磁誘導二次コイル７は円筒状に巻回したものを適用しているが、スパイラル構造とすることもできる。
【００３８】
この充電パック２２は、２つ折り構造のカバーケース２７を閉じると、一端辺が薄く開口し、開口部分に正極接続片２８及び負極接続片２９が露出した状態になるので、正極接続片２８及び負極接続片２９をブリスターパック２１の接続片挿入部２６に差し込むと共に、開口部分にブリスターパック２１の端辺を挿入させると、ブリスターパック２１と充電パック２２とが連結されると同時に電気的接続がなされる。ブリスターパック２１と充電パック２２との連結間は、先の構成と同様に、連結ロック３０により連結解除できないようにロックし、ユーザが購入して代金清算時に専用治具により連結を解除してブリスターパック２１から充電パックを取り外すようにすることが望ましい。
【００３９】
この二次電池包装体３は、製造されて複数個をダンボール梱包して販売拠点に向けて出荷されるまでの保管場所、あるいは販売拠点において陳列販売される販売場所において、図６に示すように構成された非接触電力伝送装置１５が備える電磁誘導一次コイル２０から発生する磁界と電磁結合する電磁誘導二次コイル７に発生する起電力から充電電力を得て、ニッケル水素蓄電池５，５に充電電力を供給する。
【００４０】
図６において、非接触電力伝送装置１５は、ＡＣ電力を整流平滑回路１６により変換した直流電力により動作する発振回路１７を備えている。非接触電力伝送装置１５が起動して発振回路１７により所要周波数の発振がなされると、発振回路１７を構成する電磁誘導一次コイル２０から磁界が発生する。この発生磁界内に二次電池包装体１を配置すると、磁界による電磁誘導により電磁誘導二次コイル７に起電力が誘起する。電磁誘導二次コイル７とそれに並列接続されたコンデンサ１０とにより共振回路が構成され、共振により発生した交流電流は整流ダイオード９で整流されてニッケル水素蓄電池５，５に充電電力として供給される。
【００４１】
本構成における充電は一般的な充電と異なり、微小な充電電流で徐々にニッケル水素蓄電池５，５の自己放電を補う程度の充電を実施することで足りる。ここではニッケル水素蓄電池５，５を直列接続しているので、整流ダイオード９から出力される充電電圧は、ニッケル水素蓄電池５，５に微小な充電方向の電流が流れる程度、例えば１.３〜１.５Ｖ／セルでよく、充電により電圧上昇したニッケル水素蓄電池５，５の正極、負極間の電圧が充電電圧と同一になったとき充電は停止される。前記整流ダイオード９はニッケル水素蓄電池５，５に充電方向に充電電流を流すと共に、ニッケル水素蓄電池５，５から放電方向に電流が流れることを阻止する逆流防止の役割も担っている。
【００４２】
図７（ａ）は、第４の実施形態に係る二次電池包装体４の構成を示すもので、ブリスターパックを構成する透明カップ１４内に２本のニッケル水素蓄電池５，５と充電パック４６とを収容している。充電パック４６は、先に説明した実施形態における太陽電池、電磁波、電磁誘導のいずれかを利用した充電手段として構成することができる。
【００４３】
充電パック４６は、充電手段の構成要素を容器内に収容し、容器の両端に接続片を外部露出させたもので、両端に設けた接続片間の距離はニッケル水素蓄電池５，５の高さ寸法と一致している。この充電パック４６と２本のニッケル水素蓄電池５，５を、図７（ｃ）に示すように構成された接続ホルダ４５に収納すると、接続ホルダ４５の両内側面に設けた接続プレート４７によって互いに電気的接続がなされる。ここでは２本のニッケル水素蓄電池５，５は並列接続されて充電パック４６に接続される。
【００４４】
図７（ｂ）に断面図として示すように、透明カップ１４の側面は成形時に必要な抜きテーパが形成されているので、ニッケル水素蓄電池５，５及び充電パック４６に対する垂直の接触面が形成されない。そこで、透明カップ１４内に接続ホルダ４５を押し入れることにより、接続ホルダ４５の両側に設けた折返し片４５ａが透明カップ１４の抜きテーパが形成された内側面に接触して接続ホルダ４５の接続プレート４７の貼着面を互いに内側に押圧した状態が得られ、収容したニッケル水素蓄電池５，５の正負両極及び充電パック４６の両端接続片に接続プレート４７が圧接する。接続プレート４７のニッケル水素蓄電池５,５及び充電パック４６との接触位置には、図示するように接続突起４７ａを形成しておくことにより、より安定した接触接続の状態が得られる。
【００４５】
図示する形態では、充電パック４６は二次電池包装体４の最下方に位置しているので、その下方面に太陽電池３１を配して構成すると、二次電池包装体４の販売陳列場所の下方に発電専用の光源を配置すると効率的な充電電力を行うことができる。また、二次電池包装体４の販売陳列場所の下方に電磁誘導一次コイルあるいは電磁波の送信アンテナが配置されるように構成すると、充電パック４６の電磁誘導二次コイル７あるいはアンテナコイル３９に対して至近位置から電力伝送を行うことができる。
【００４６】
充電パック４７の透明カップ１４内への収容位置は、電磁誘導一次コイル２０の配設位置に応じて任意に設定することができる。例えば、充電パック４６を太陽電池により充電電力を生成する構成とした場合には、充電パック４６は透明カップ１４内の上方に収容して、その上面に太陽電池を配設すると、販売拠点における照明光による発電を利用することができる。
【００４７】
本構成における充電パック４６は、ニッケル水素蓄電池５，５と分離可能に透明カップ１４内に収容されているので、充電パック４６に対応する台紙６の該当部位を開くことにより、透明カップ１４から押し出して外部に取り出すことができ、ユーザの購入時に回収して再使用することが可能である。例えば、図７に示すように、接続ホルダ４５の充電パック４６保持部位に開閉可能に取出し扉５２を設け、図８に示すように、台紙６の背面に形成した取出し窓５１から切欠き５２ａに治具を差し入れて取出し扉５２を開くと、透明カップ１４から充電カップ４６を押し出し、取出し窓５１から外部に取り出すことができる。
【産業上の利用可能性】
【００４８】
以上説明した通り本発明によれば、二次電池を被覆包装した包装体に対して充電手段を着脱可能に連結しているので、ユーザの購入時に包装体から充電手段を取り外すと、充電手段は再使用することができ、充電手段を設けることによるコストアップを抑えて充電済みの二次電池を販売することができる。従って、二次電池を購入したユーザは充電作業を行うことなく直ちに機器に装填して使用することができ、繰り返し使用できる二次電池を乾電池的に使用することが可能となり、電池の経済的使用を実現することができる。
【図面の簡単な説明】
【００４９】
【図１】第１の実施形態に係る二次電池包装体の（ａ）は全体構成、（ｂ）は充電パック、（ｃ）はブリスターパックの構成を示す斜視図。
【図２】同上構成における太陽電池充電回路を示す回路図。
【図３】第２の実施形態に係る二次電池包装体の充電パックの構成を示す斜視図。
【図４】同上構成における電磁波受信回路を示す回路図。
【図５】第３の実施形態に係る二次電池包装体の（ａ）は全体構成、（ｂ）は充電パック、（ｃ）はブリスターパックの各構成を示す斜視図。
【図６】同上構成における電磁誘導回路を示す回路図。
【図７】第４の実施形態に係る二次電池包装体の（ａ）は全体構成を示す斜視図、（ｂ）は断面図、（ｃ）は接続ホルダの斜視図。
【図８】同上構成における充電パック取出し構造の例を示す斜視図。
【符号の説明】
【００５０】
１，２，３，４  二次電池包装体
５  ニッケル水素蓄電池（二次電池）
６  台紙
７  電磁誘導二次コイル
９  整流ダイオード
１０  コンデンサ
１１，１２，１３  端子金具
１４  透明カップ
２０  電磁誘導一次コイル
２１  ブリスターパック
２２，３６，３７，４６  充電パック
２４  正極リード
２５  負極リード
２８  正極接続片
２９  負極接続片
３０  連結ロック
【図１】
2007294275.tif 000003
【図２】
2007294275.tif 000004
【図３】
2007294275.tif 000005
【図４】
2007294275.tif 000006
【図５】
2007294275.tif 000007
【図６】
2007294275.tif 000008
【図７】
2007294275.tif 000009
【図８】
2007294275.tif 000010